(57)【要約】【課題】光スプリッタで分岐された光送信装置からの信号を、できるだけＯＥＯ変換なしで光のまま伝送する光伝送システム、光伝送装置および光伝送方法を提供する。【解決手段】判定制御回路２５は、追加電気バッファ２４に電気信号がないときには、光ゲート２８を透過に設定すると同時に光送信器２６の動作を停止させて光送信装置１０からの光信号を透過させる。光受信器２２で受信した光送信装置１０からの光信号のヘッダ情報を読み取るまでに追加電気バッファ２４に電気信号が到着したとき、および光送信装置１０からの光信号が光ゲート２８を透過し終えるまでに追加電気バッファ２４に電気信号が到着したときには、光送信装置１０からの光信号が光ゲート２８を透過した直後に追加電気バッファ２４から電気信号の読み出し処理を行い、光ゲート２８を非透過に設定すると同時に光送信器２６の動作開始を行う。【選択図】図１
2011041175.tif 000002
【特許請求の範囲】
【請求項１】
光送信装置と、光受信装置と、前記光送信装置と前記光受信装置との間に接続される光伝送装置とで構成され、
前記光伝送装置が、前記光送信装置からの光信号を分岐する光スプリッタと、分岐した光信号のうち一方の光信号を受信する光受信器と、光受信器の信号を蓄える電気バッファと、前記光送信装置からの光信号に追加すべき信号を蓄える追加電気バッファと、前記光受信器で受信した光信号のヘッダ情報を読み取って光信号の透過／非透過を判定し、かつ前記電気バッファと前記追加電気バッファからの電気信号を読み出す判定制御回路と、該判定制御回路から読み出された電気信号を光信号に変換し送信する光送信器と、前記分岐した光信号のうち他方の光信号を透過する光遅延線と、該光遅延線からの光信号の透過／非透過を行う光ゲートと、前記光送信器からの光信号と前記光ゲートからの光信号を合波する光スプリッタとを備える光伝送システムにおいて、
前記判定制御回路は、前記追加電気バッファに電気信号がないときには、前記光ゲートを透過に設定すると同時に前記光送信器の動作を停止させて前記光送信装置からの光信号を透過させ、前記光受信器で受信した前記光送信装置からの光信号のヘッダ情報を読み取るまでに前記追加電気バッファに電気信号が到着したとき、および前記光送信装置からの光信号が前記光ゲートを透過し終えるまでに前記追加電気バッファに電気信号が到着したときには、前記光送信装置からの光信号が前記光ゲートを透過した直後に前記追加電気バッファから電気信号の読み出し処理を行い、前記光ゲートを非透過に設定すると同時に前記光送信器の動作開始を行うことを特徴とする光伝送システム。
【請求項２】
前記光遅延線は、前記判定制御回路が、前記光信号のヘッダ情報を読み取って光信号の透過／非透過を判定し、制御を行うのために必要な時間分、光信号を遅延させることを特徴とする請求項１に記載の光伝送システム。
【請求項３】
光送信装置と光受信装置との間に接続される光伝送装置において、
前記光送信装置からの光信号を分岐する光スプリッタと、分岐した光信号のうち一方の光信号を受信する光受信器と、光受信器の信号を蓄える電気バッファと、前記光送信装置からの光信号に追加すべき信号を蓄える追加電気バッファと、前記光受信器で受信した光信号のヘッダ情報を読み取って光信号の透過／非透過を判定し、かつ前記電気バッファと前記追加電気バッファからの電気信号を読み出す判定制御回路と、該判定制御回路から読み出された電気信号を光信号に変換し送信する光送信器と、前記分岐した光信号のうち他方の光信号を透過する光遅延線と、該光遅延線からの光信号の透過／非透過を行う光ゲートと、前記光送信器からの光信号と前記光ゲートからの光信号を合波する光スプリッタとを備え、
前記判定制御回路は、前記追加電気バッファに電気信号がないときには、前記光ゲートを透過に設定すると同時に前記光送信器の動作を停止させて前記光送信装置からの光信号を透過させ、前記光受信器で受信した前記光送信装置からの光信号のヘッダ情報を読み取るまでに前記追加電気バッファに電気信号が到着したとき、および前記光送信装置からの光信号が前記光ゲートを透過し終えるまでに前記追加電気バッファに電気信号が到着したときには、前記光送信装置からの光信号が前記光ゲートを透過した直後に前記追加電気バッファから電気信号の読み出し処理を行い、前記光ゲートを非透過に設定すると同時に前記光送信器の動作開始を行うことを特徴とする光伝送装置。
【請求項４】
前記光遅延線は、前記判定制御回路が、前記光信号のヘッダ情報を読み取って光信号の透過／非透過を判定し、制御を行うのために必要な時間分、光信号を遅延させることを特徴とする請求項３に記載の光伝送装置。
【請求項５】
光送信装置と光受信装置との間に接続される光伝送装置の光伝送方法において、
前記光送信装置からの光信号に追加すべき信号がないときには、光信号の透過／非透過を行う光ゲートを透過に設定して、前記光送信装置からの光信号を透過させて前記光受信装置に送信し、
前記光送信装置からの光信号のヘッダ情報を読み取るまでに、前記光送信装置からの光信号に追加すべき信号が到着したとき、および前記光送信装置からの光信号が、前記光ゲートを透過し終えるまでに、前記光送信装置からの光信号に追加すべき信号が到着したときには、前記光送信装置からの光信号が前記光ゲートを透過した直後に、前記光送信装置からの光信号に追加すべき信号を、前記光受信装置に送信することを特徴とする光伝送方法。
【発明の詳細な説明】
【技術分野】
【０００１】
本発明は、ＯＥＯ変換を行わないルートとＯＥＯ変換を行うルートとの２つの伝送ルートを提供する光伝送システム、光伝送装置および光伝送方法に関する。
【背景技術】
【０００２】
近年、インターネットにおけるトラフィック量の増大に伴い、中継網の伝送装置にて生じるルーティングなどの電気処理による伝送遅延の回避、伝送装置処理部の規模縮小化等に向け、ＯＥＯ（Optical- Electrical-Optical）変換を行わないフォトニックネットワークの研究が活発に行われている（非特許文献１参照）。しかし、光パケットスイッチング技術を用いたフォトニックネットワークでは、光バッファの実現が難しいことから、将来のネットワークにおいては、全てがフォトニックネットワークに置き換わっていくのではなく、電気処理をベースとした既存ネットワークと、これらフォトニックネットワークが共存するネットワーク構成になるものと考えられる。
【０００３】
図４に、以上の背景をもとにしたＯＥＯ変換を行う機能と、ＯＥＯ変換を行わず光のまま伝送する機能を有する光伝送システムの構成例を示す。図４に示す光伝送システムは、光送信装置１１０と、光受信装置１３０と、光送信装置１１０と光受信装置１３０との間に接続される光伝送装置１２０とで構成される。光伝送装置１２０は、光送信装置１１０からの光信号を分岐する光スプリッタ１２１と、分岐した光信号を受信して電気信号に変換する光受信器１２２と、光受信器１２２からの電気信号を蓄える電気バッファ１２３と、光伝送装置１２０以外の他の光伝送装置や他のネットワークから受信した、光受信装置１３０へ送るべき信号を蓄える追加電気バッファ１２４と、電気バッファ１２３の電気信号と追加電気バッファ１２４の電気信号を読み出す判定制御回路１２５と、判定制御回路１２５で読み出した電気信号を光信号に変換して送信する光送信器１２６と、光スプリッタ１２１で分岐した光信号を透過する光遅延線１２７と、光遅延線１２７からの光信号を透過／非透過する光ゲート１２８と、光送信器１２６からの光信号と光ゲート１２８からの光信号を合波する光スプリッタ１２９で構成される。
【０００４】
ここで、光スプリッタ１２１で分岐された後、光受信器１２２→電気バッファ１２３→判定制御回路１２５→光送信器１２６のルートが、ＯＥＯ変換を行うルートであり、光スプリッタ１２１で分岐された後、光遅延線１２７→光ゲート１２８のルートが、ＯＥＯ変換を行わず光のまま伝送するルートである。また、光送信器１２６は、ＯＥＯ変換を行わないルートで伝送される光信号の波長と同じ波長の光信号を出力する。
【０００５】
判定制御回路１２５は、光送信装置１１０からの光信号を透過させるときには、光ゲート１２８を透過に設定すると同時に光送信器１２６の動作を停止し、光送信装置１１０からの光信号を非透過にするときには、光ゲート１２８を非透過に設定すると同時に光送信器１２６の動作を開始するよう制御を行う。光遅延線１２７は、判定制御回路１２５にて光送信装置１１０からの光信号の透過／非透過の選択を行うために必要な時間分だけ光信号を遅らせるためのものであり、光信号を低遅延に伝送するために、できるだけ短く設計される。
【０００６】
光伝送装置１２０の動作例を示すと、例えば、追加電気バッファ１２４に電気信号があるときに、ＯＥＯ変換を行うルートを選択するよう制御すると、判定制御回路１２５にて、電気バッファ１２３と追加電気バッファ１２４から電気信号の読み出し処理を行うことにより、光伝送装置１２０にて信号の追加が可能となり、追加電気バッファ１２４に電気信号がないときに、ＯＥＯ変換を行わないルートを選択するよう制御すると、電気処理による伝送遅延の回避が可能となる。
【０００７】
以上のような構成のもとに制御を行うことにより、同一の波長の光信号を伝送しつつ、ＯＥＯ変換を行う機能とＯＥＯ変換を行わない機能を共存させた光伝送システムを実現することができる。
【０００８】
光伝送装置１２０における判定制御回路１２５の信号読み出しの方式としては、非特許文献２に記載するような、信号を到着した順に読み出すＦＩＦＯ（first-in first-out）方式などが挙げられる。ＦＩＦＯ方式では、電気バッファ１２３と追加電気バッファ１２４に到着する電気信号を、先着順に判定制御回路１２５で読み出し、光送信器１２６へ送信する。
【０００９】
上述したＦＩＦＯ方式を採用したときの判定制御回路１２５における光送信装置１１０からの光信号の透過／非透過の選択動作について、図５を用いて詳しく説明する。図５に示すＡ１〜Ａ４の信号は、図４の光伝送装置１２０において、光ゲート１２８へ伝送される信号と電気バッファ１２３に伝送される信号であり、Ｂ１〜Ｂ３の信号は、追加電気バッファ１２４へ伝送される信号である。ＦＩＦＯ方式では、先着順に信号の読み出しを行うため、まずＢ１→Ａ１→Ｂ２の順に読み出される。ここで信号Ａ１は、信号Ｂ１と時間的に重複してしまっているため、光ゲート１２８を通るルート（ＯＥＯ変換を行わないルート）を選択することはできない。
【００１０】
信号Ｂ２の次に伝送されてくる信号Ａ２は、追加電気バッファ１２４に信号がないため、判定制御回路１２５では信号Ａ２を読み出さず、光ゲート１２８を通るルート（ＯＥＯ変換を行わないルート）で伝送される。
【００１１】
その次に伝送されてくる信号Ｂ３、信号Ａ３、信号Ａ４は、先着順にＢ３→Ａ３→Ａ４の順に読み出しが行われる。ここで、信号Ａ３は、信号Ｂ３と時間的に重複してしまっているため、光ゲート１２８を通るルート（ＯＥＯ変換を行わないルート）を選択することはできない。信号Ａ４は、追加電気バッファ１２４に信号がないので、光ゲート１２８を通るルート（ＯＥＯ変換を行わないルート）で伝送することが可能なように見えるが、信号Ａ３は、信号Ｂ３の読み出し処理が完了するまで電気バッファ１２３内で待つ必要があるため、光ゲート１２８を通るルートで信号Ａ４を伝送しようとすると、信号Ａ３と重複してしまう。そのため、信号Ａ４もＯＥＯ変換を行うルートで伝送しなければならない。
【００１２】
以上のことから、光伝送装置１２０においてＯＥＯ変換を行う必要が生じるのは、（１）追加電気バッファ１２４の電気信号を読み出し処理中に電気バッファ１２３に光信号が到着したとき、（２）電気バッファ１２３の電気信号を読み出し処理中に電気バッファ１２３に新たな光信号が到着したとき、の２つの状態となる。
【００１３】
ここで、ＦＩＦＯ方式の問題点は、上述の（１）もしくは（２）の状態となるとき、光スプリッタ１２１で分岐された信号に対し、必ずＯＥＯ変換を行う必要が生じることである。光スプリッタ１２１で分岐された信号を、フォトニックネットワークの特性を活かし、ＯＥＯ変換なしで光のまま伝送することができれば、電気処理による伝送遅延の回避が可能となる。そのため、できるだけＯＥＯ変換を行わない方が望ましい。
【００１４】
また、光伝送装置１２０における判定制御回路１２５の、別の信号読み出しの方式としては、上述の（１）の状態となるとき、追加電気バッファ１２４の電気信号の読み出しを停止し、光スプリッタ１２１で分岐された信号を常に優先的に光ゲート１２８を通るルートで伝送させる方式も考えられる。この方式では、光スプリッタ１２１で分岐された信号が電気バッファ１２３に蓄積されることはないため、上述の（２）の状態になることはない。この方式では、光スプリッタ１２１で分岐された信号を、常にＯＥＯ変換なしで光のまま伝送することができるため、上述のＦＩＦＯ方式の問題点を解決することができるが、追加電気バッファ１２４の電気信号は、光スプリッタ１２１で分岐された信号が伝送されている限り、追加電気バッファ１２４で待ち続ける必要があるため、遅延の問題が生じるとともに、追加電気バッファ１２４のバッファサイズも大きくする必要が生じる。また、追加電気バッファ１２４の電気信号の読み出し中にその処理を停止し、光スプリッタ１２１で分岐された信号が光ゲート１２８を通るようにするため、これらの処理を行うための時間分、光遅延線１２７を長く設計する必要が生じ、光信号を電気信号に変換することなく、できるだけ低遅延に伝送するという目的に反してしまう。
【００１５】
さらに、上述した別の信号読み出し方式の応用として、追加電気バッファ１２４の電気信号の読み出す割合と、光スプリッタ１２１で分岐された信号が光ゲート１２８を通るルートで伝送される割合に重み付けを行い、光スプリッタ１２１で分岐された信号が伝送されているときにおいても、一定の割合で追加電気バッファ１２４の電気信号を読み出すことにより、追加電気バッファ１２４で待ち続ける問題を回避する方法も考えられる。しかし、この方式では、伝送帯域が一定の場合には問題がないが、伝送帯域に変化が生じるたびに上述の重み付けの割合を変更する必要が生じるため、制御が複雑になってしまう。
【先行技術文献】
【非特許文献】
【００１６】
【非特許文献１】S.J.Ben Yoo、 “Optical Packet and Burst Switching Technologies for the Future Photonic Internet、” Journal Lightwave Technology、 Vol.24、 No.12、 pp.4468-4492、 December 2006.
【非特許文献２】高橋敬隆、山本尚生、吉野秀明、戸田彰、“わかりやすい待ち行列システム”、電子情報通信学会、２００３年．
【発明の概要】
【発明が解決しようとする課題】
【００１７】
本発明は、以上のような背景のもとに行われたものであり、本発明の目的は、光スプリッタで分岐された光送信装置からの信号を、できるだけＯＥＯ変換なしで光のまま伝送するようにして、ＯＥＯ変換を行う必要が生じる確率を低減させることのできる光伝送システム、光伝送装置および光伝送方法を提供することにある。
【課題を解決するための手段】
【００１８】
上記目的を達成するため、本発明は、光送信装置と、光受信装置と、前記光送信装置と前記光受信装置との間に接続される光伝送装置とで構成され、前記光伝送装置が、前記光送信装置からの光信号を分岐する光スプリッタと、分岐した光信号のうち一方の光信号を受信する光受信器と、光受信器の信号を蓄える電気バッファと、前記光送信装置からの光信号に追加すべき信号を蓄える追加電気バッファと、前記光受信器で受信した光信号のヘッダ情報を読み取って光信号の透過／非透過を判定し、かつ前記電気バッファと前記追加電気バッファからの電気信号を読み出す判定制御回路と、該判定制御回路から読み出された電気信号を光信号に変換し送信する光送信器と、前記分岐した光信号のうち他方の光信号を透過する光遅延線と、該光遅延線からの光信号の透過／非透過を行う光ゲートと、前記光送信器からの光信号と前記光ゲートからの光信号を合波する光スプリッタとを備える光伝送システムにおいて、前記判定制御回路が、前記追加電気バッファに電気信号がないときには、前記光ゲートを透過に設定すると同時に前記光送信器の動作を停止させて前記光送信装置からの光信号を透過させ、前記光受信器で受信した前記光送信装置からの光信号のヘッダ情報を読み取るまでに前記追加電気バッファに電気信号が到着したとき、および前記光送信装置からの光信号が前記光ゲートを透過し終えるまでに前記追加電気バッファに電気信号が到着したときには、前記光送信装置からの光信号が前記光ゲートを透過した直後に前記追加電気バッファから電気信号の読み出し処理を行い、前記光ゲートを非透過に設定すると同時に前記光送信器の動作開始を行うことを特徴とする。
【００１９】
前記光遅延線は、前記判定制御回路が、前記光信号のヘッダ情報を読み取って光信号の透過／非透過を判定し、制御を行うのために必要な時間分、光信号を遅延させることが好ましい。
【００２０】
また、本発明は、光送信装置と光受信装置との間に接続される光伝送装置において、前記光送信装置からの光信号を分岐する光スプリッタと、分岐した光信号のうち一方の光信号を受信する光受信器と、光受信器の信号を蓄える電気バッファと、前記光送信装置からの光信号に追加すべき信号を蓄える追加電気バッファと、前記光受信器で受信した光信号のヘッダ情報を読み取って光信号の透過／非透過を判定し、かつ前記電気バッファと前記追加電気バッファからの電気信号を読み出す判定制御回路と、該判定制御回路から読み出された電気信号を光信号に変換し送信する光送信器と、前記分岐した光信号のうち他方の光信号を透過する光遅延線と、該光遅延線からの光信号の透過／非透過を行う光ゲートと、前記光送信器からの光信号と前記光ゲートからの光信号を合波する光スプリッタとを備え、前記判定制御回路が、前記追加電気バッファに電気信号がないときには、前記光ゲートを透過に設定すると同時に前記光送信器の動作を停止させて前記光送信装置からの光信号を透過させ、前記光受信器で受信した前記光送信装置からの光信号のヘッダ情報を読み取るまでに前記追加電気バッファに電気信号が到着したとき、および前記光送信装置からの光信号が前記光ゲートを透過し終えるまでに前記追加電気バッファに電気信号が到着したときには、前記光送信装置からの光信号が前記光ゲートを透過した直後に前記追加電気バッファから電気信号の読み出し処理を行い、前記光ゲートを非透過に設定すると同時に前記光送信器の動作開始を行うことを特徴とする。
【００２１】
前記光遅延線は、前記判定制御回路が、前記光信号のヘッダ情報を読み取って光信号の透過／非透過を判定し、制御を行うのために必要な時間分、光信号を遅延させることが好ましい。
【００２２】
また、本発明は、光送信装置と光受信装置との間に接続される光伝送装置の光伝送方法において、前記光送信装置からの光信号に追加すべき信号がないときには、光信号の透過／非透過を行う光ゲートを透過に設定して、前記光送信装置からの光信号を透過させて前記光受信装置に送信し、前記光送信装置からの光信号のヘッダ情報を読み取るまでに、前記光送信装置からの光信号に追加すべき信号が到着したとき、および前記光送信装置からの光信号が、前記光ゲートを透過し終えるまでに、前記光送信装置からの光信号に追加すべき信号が到着したときには、前記光送信装置からの光信号が前記光ゲートを透過した直後に、前記光送信装置からの光信号に追加すべき信号を、前記光受信装置に送信することを特徴とする。
【発明の効果】
【００２３】
以上説明したように、本発明によれば、追加電気バッファに電気信号があるときでも、光送信装置からの光信号のヘッダ情報を読み取るまでに追加電気バッファに電気信号が到着したとき、および光送信装置からの光信号が光ゲートを透過し終えるまでに追加電気バッファに電気信号が到着したときは、光送信装置からの光信号が光ゲートを透過した直後に追加電気バッファから電気信号を読み出して、できるだけＯＥＯ変換なしで光のまま伝送するようにしたので、ＯＥＯ変換を行う必要が生じる確率を低減させることができる。
【図面の簡単な説明】
【００２４】
【図１】本発明の光伝送システムの全体構成を示す図である。
【図２】図１に示す光伝送システムにおける光伝送方法を説明する図である。
【図３】本発明の光伝送方法を実施したときと、従来のＦＩＦＯ方式を実施したときのＯＥＯ変換を行う割合例を示す図である。
【図４】従来の光伝送システムの全体構成を示す図である。
【図５】従来の光伝送システムにおける光送信装置からの光信号の透過／非透過の選択動作について説明する図である。
【発明を実施するための形態】
【００２５】
本発明の実施の形態について図面を参照して説明する。図１は、本発明の光伝送システムの全体構成を示す図である。図１に示す光伝送システムは、光送信装置１０と、光受信装置３０と、光送信装置１０と光受信装置３０との間に接続される光伝送装置２０とで構成される。光伝送装置２０は、光送信装置１０からの光信号を分岐する光スプリッタ２１と、光スプリッタ２１で分岐された光信号のうち、一方の光信号を受信して電気信号に変換する光受信器２２と、光受信器２２から出力された電気信号を蓄える電気バッファ２３と、光伝送装置２０以外の他の光伝送装置や他のネットワークから受信した、光受信装置３０へ送るべき信号（光送信装置１０からの光信号に追加すべき信号）を蓄える追加電気バッファ２４と、光受信器２２で受信した光信号のヘッダ情報を読み取って光信号の透過／非透過を判定し、かつ電気バッファ２３と追加電気バッファ２４から電気信号を読み出す判定制御回路２５と、判定制御回路２５から読み出された電気信号を光信号に変換し送信する光送信器２６と、光スプリッタ２１で分岐された光信号のうち、もう一方の光信号を透過する光遅延線２７と、光遅延線２７からの光信号の透過／非透過を行う光ゲート２８と、光送信器２６からの光信号と光ゲート２８からの光信号を合波する光スプリッタ２９で構成される。
【００２６】
光スプリッタ２１で分岐された後、光受信器２２→電気バッファ２３→判定制御回路２５→光送信器２６のルートが、ＯＥＯ変換を行うルートであり、光スプリッタ２１で分岐された後、光遅延線２７→光ゲート２８のルートが、ＯＥＯ変換を行わず光のまま伝送するルートである。また、光送信器２６は、ＯＥＯ変換を行わないルートで伝送される光信号の波長と同じ波長の光信号を出力する。
【００２７】
判定制御回路２５は、光送信装置１０からの光信号を透過させるとき（ＯＥＯ変換を行わないとき）は、光ゲート２８を透過に設定すると同時に光送信器２６の動作を停止させ、光送信装置１０からの光信号を非透過にするとき（ＯＥＯ変換を行うとき）は、光ゲート２８を非透過に設定すると同時に光送信器２６の動作を開始させるよう制御を行う。
また、判定制御回路２５は、追加電気バッファ２４に電気信号がないときは、光ゲート２８を透過に設定すると同時に光送信器２６の動作を停止させて、光送信装置１０からの光信号を電気信号に変換することなく低遅延で伝送させる。
さらに、判定制御回路２５は、光受信器２２で受信した光送信装置１０からの光信号のヘッダ情報を読み取るまでに追加電気バッファ２４に到着した電気信号と、光送信装置１０からの光信号が光ゲート２８を透過し終えるまでに追加電気バッファ２４に到着した電気信号を、光送信装置１０からの光信号が光ゲート２８を透過した直後に読み出し処理を行い、同時に光ゲート２８を非透過に設定し、光送信器２６の動作開始を行って、追加電気バッファ２４に電気信号があるときでも、できるだけ光送信装置１０からの光信号を透過させる。
【００２８】
光遅延線２７は、判定制御回路２５が、光受信器２２で受信された光信号のヘッダ情報を読み取って光信号の透過／非透過を判定し、制御を行うのために必要な時間分、光信号を遅延させるために配置される。
光受信器２２で受信された信号は、電気バッファ２３と判定制御回路２５に同時に送られ、電気バッファ２３では、その信号のヘッダ情報とペイロード情報を蓄積し、判定制御回路２５では、送られてきた信号の先頭にあるヘッダ情報だけを読み取り、制御の判定を行う。このように電気バッファ２３を経由せず、ヘッダ情報を判定制御回路２５に送ることによって、その分、判定処理は直ぐに行われるため、光遅延線２７は短くて済む。なお、光受信器２２から判定制御回路２５に直接送るのはヘッダ情報だけでも良い。
【００２９】
ＯＥＯ変換を行わない場合、光遅延線２７により、光受信器２２で受信された信号のヘッダ情報の処理時間だけ遅延される。これに対し、ＯＥＯ変換を行う場合は、ヘッダ情報とペイロード情報の両方を電気バッファ２３から読み出し、光送信器２６に信号を送信するため、光送信器２６の変調処理時間が無視できるぐらいに短い場合であっても、ヘッダ情報とペイロード情報の両方の処理時間だけ、ＯＥＯ変換を行わない場合と比べて、遅延することになる。従って、ＯＥＯ変換を行わない場合は、光遅延線２７を透過しても、ＯＥＯ変換を行う場合よりは、低遅延で伝送できる。
【００３０】
図２は、図１に示す光伝送装置における光伝送方法を説明する図である。図２に示すＡ１〜Ａ４の信号は、図１の光伝送装置２０において、光ゲート２８へ伝送される信号と電気バッファ２３に伝送される信号であり、Ｂ１〜Ｂ３の信号は、追加電気バッファ２４へ伝送される信号である。
本発明の光伝送方法は、光受信器２２で受信した光信号のヘッダ情報を読み取るまでに追加電気バッファ２４に到着した電気信号と、光信号が光ゲート２８を透過し終えるまでに追加電気バッファ２４に到着した電気信号を、光信号が光ゲート２８を透過した直後に判定制御回路２５で読み出し処理を行うものである。信号Ｂ１と信号Ｂ２は、信号Ａ１に対して上記条件に該当する追加電気バッファの信号となるため、信号Ａ１が光ゲートを透過した直後に、追加電気バッファ２４から読み出される。
【００３１】
信号Ｂ２の次に伝送されてくる信号Ａ２は、上述した条件に該当する追加電気バッファの信号がないため、光ゲート２８を通るＯＥＯ変換を行わないルートで伝送される。
【００３２】
その次に伝送されてくる信号Ｂ３、信号Ａ３、信号Ａ４は、信号Ｂ３が上述した条件に該当する追加電気バッファの信号となるため、信号Ａ３が光ゲートを透過した直後に、信号Ｂ３は追加電気バッファ２４から読み出される。信号Ａ４は、信号Ｂ３が、信号Ａ３の直後に読み出されたことにより、信号Ｂ３と時間的に重複してしまう。そのため信号Ａ４は、前述した（１）の状態（追加電気バッファの電気信号を読み出し処理中に電気バッファに光信号が到着した状態）となることから、信号Ｂ３の次に読み出される。
【００３３】
以上で説明した光伝送方法による信号Ａ１〜Ａ４の挙動を、図５に示す従来のＦＩＦＯ方式による信号Ａ１〜Ａ４の挙動と比較してみると、図５では、信号Ａ２のみＯＥＯ変換を行わないルートで伝送されるが、図２では、信号Ａ１〜Ａ３がＯＥＯ変換を行わないルートで伝送される。従って、本発明における光伝送方法により、従来に比べＯＥＯ変換を行う必要が生じる確率を低減することが可能となる。
【００３４】
図３は、本発明の光伝送方法を実施したときと、従来のＦＩＦＯ方式を実施したときのＯＥＯ変換を行う割合例を示す図である。図３は、光ゲート２８、電気バッファ２３、追加電気バッファ２４に到着する各信号がポアソン過程に従うものと仮定し、トータル１Ｇｂｉｔ／ｓの伝送帯域を扱う光伝送装置２０において、光ゲート２８、電気バッファ２３に到着する信号の伝送帯域が２５６Ｍｂｉｔ／ｓのときに、追加電気バッファ２４に到着する信号の伝送帯域を１２８Ｍｂｉｔ／ｓから７４４Ｍｂｉｔ／ｓまで変化させたときの、ＯＥＯ変換を行う割合を数値計算により求めたものである。数値計算は、全てＥｔｈｅｒｎｅｔ（登録商標）パケット信号（フレーム長６４ｂｙｔｅ）が伝送されてくるものとして行った。
【００３５】
図３より、従来のＦＩＦＯ方式に比べ、本発明の光伝送方法を実施することにより、ＯＥＯ変換を行う割合が低下することが理解できる。従って、本発明の光伝送方法により、従来に比べＯＥＯ変換を行う必要が生じる確率を低減させることが可能となる。
【符号の説明】
【００３６】
１０、１１０  光送信装置
２０、１２０  光伝送装置
２１、１２１  光スプリッタ
２２、１２２  光受信器
２３、１２３  電気バッファ
２４、１２４  追加電気バッファ
２５、１２５  判定制御回路
２６、１２６  光送信器
２７、１２７  光遅延線
２８、１２８  光ゲート
２９、１２９  光スプリッタ
３０、１３０  光受信装置
【図１】
2011041175.tif 000003
【図２】
2011041175.tif 000004
【図３】
2011041175.tif 000005
【図４】
2011041175.tif 000006
【図５】
2011041175.tif 000007